(57)【要約】  少なくとも1つの生体測定センサと、プロセッサと、プロセッサと通信しているメモリと、プロセッサと通信しているディスプレイと、ユーザインターフェースとを含むユーザ制御可能な睡眠システムが提供される。ユーザインターフェースは、1つまたは複数の関連する音を含む選択されたサウンドスケープに関するランドスケープグラフィックスを提供する。ユーザインターフェースはまた、生体測定センサからの健康情報を示す健康指標と、プロセッサによって受信された環境情報を示す環境指標とを有する。
2019534728.tif 000002
【特許請求の範囲】
【請求項１】
心拍数、呼吸数、ユーザの存在、またはユーザの動きのうちの少なくとも1つを感知するための生体測定センサであって、出力データを提供する、生体測定センサと、
プロセッサと、
前記プロセッサと通信しているメモリと、
前記プロセッサと通信しているディスプレイと、
ユーザインターフェースと
を備えるユーザ制御可能な睡眠システムであって、
前記ユーザインターフェースが、1つまたは複数の関連する音を含む選択されたサウンドスケープに関するランドスケープグラフィックスを提供し、
前記ユーザインターフェースが、前記生体測定センサからの健康情報を示す健康指標を有し、
前記ユーザインターフェースが、前記プロセッサによって受信された環境情報を示す環境指標を有する、
ユーザ制御可能な睡眠システム。
【請求項２】
前記健康指標が、ユーザの呼吸数または心拍数のうちの少なくとも1つを表す、請求項1に記載のユーザ制御可能な睡眠システム。
【請求項３】
前記ユーザインターフェースが、前記生体測定センサから受信した情報の指示を提供するために前記健康指標を動画化するように構成される、請求項2に記載のユーザ制御可能な睡眠システム。
【請求項４】
前記ユーザインターフェースが、ユーザの心拍数または呼吸のうちの少なくとも1つの指示を提供するために前記健康指標を動画化するように構成される、請求項3に記載のユーザ制御可能な睡眠システム。
【請求項５】
前記ランドスケープグラフィックスが、前記選択されたサウンドスケープに関連する場所のタイプを描写する、請求項1に記載のユーザ制御可能な睡眠システム。
【請求項６】
前記健康指標が、前記選択されたサウンドスケープに関連する場所のタイプに関連する、請求項5に記載のユーザ制御可能な睡眠システム。
【請求項７】
前記環境指標が、天候状況、汚染状況、花粉状況、または交通状況のうちの少なくとも1つを示す請求項1に記載のユーザ制御可能な睡眠システム。
【請求項８】
前記プロセッサが、ネットワークアクセス可能なサービスを介して、天候状況、汚染状況、花粉状況、または交通状況のうちの少なくとも1つを取り出すように構成される、請求項7に記載のユーザ制御可能な睡眠システム。
【請求項９】
心拍数、呼吸数、ユーザの存在、またはユーザの動きのうちの少なくとも1つを感知するための生体測定センサであって、出力データを提供する、生体測定センサと、
プロセッサと、前記プロセッサと通信しているメモリと、前記プロセッサと通信しているディスプレイと、前記プロセッサと通信しているスピーカと
を備える睡眠補助デバイスであって、
前記プロセッサがユーザインターフェースを提供するように構成され、前記ユーザインターフェースが、複数の関連する音を含む再生可能なサウンドスケープに関する選択可能な音指標を提示し、前記音指標が、前記サウンドスケープの一部として再生可能な個々の音を制御し、
前記プロセッサが少なくとも1つの音指標の選択を受信するように構成され、
前記プロセッサが、少なくとも1つの音指標の前記選択に基づいてサウンドスケープを配置および再生するように構成される、
睡眠補助デバイス。
【請求項１０】
前記ユーザインターフェースが、
前記プロセッサがリラクゼーションプログラムを自動的に実行すべきであることを示すための選択可能ボタンと、
前記リラクゼーションプログラムを実行するためのトリガイベントを選択するための少なくとも1つの選択可能ボタンと
をさらに備える、請求項9に記載の睡眠補助デバイス。
【請求項１１】
トリガイベントを選択するための前記少なくとも1つの選択可能ボタンが、トリガイベントとして光レベルの変化を選択するためのボタン、またはトリガイベントとしてベッドにおけるユーザの存在を選択するためのボタンのうちの少なくとも1つを含む、請求項10に記載の睡眠補助デバイス。
【請求項１２】
前記ユーザインターフェースが、
リラクゼーションプログラムを実行する前に、トリガイベントの後の遅延を要求するための選択可能ボタンと、
前記遅延の持続時間を示すためのスライダと
をさらに備える、請求項11に記載の睡眠補助デバイス。
【請求項１３】
前記ユーザインターフェースが、
リラクゼーションプログラムに関する少なくとも1つの選択可能な音指標と、
音マスキングプログラムに関する少なくとも1つの選択可能な音指標と
をさらに備える、請求項9に記載の睡眠補助デバイス。
【請求項１４】
前記選択可能な音指標が、
前記選択可能な音指標に関連する前記音をプレビューするための選択可能プレビューボタンと、
前記選択可能な音指標に関連する前記音に関する1つまたは複数の画像と、
サウンドスケープ内に含めるための前記音指標を選択するための選択可能エッジと、
前記選択可能な音指標がサウンドスケープ内に含めるために選択されたことを示すための活性化ステータスアイコンと
をさらに備える、請求項13に記載の睡眠補助デバイス。
【請求項１５】
心拍数、呼吸数、ユーザの存在、またはユーザの動きのうちの少なくとも1つを感知するための生体測定センサであって、出力データを提供する、生体測定センサと、
プロセッサと、前記プロセッサと通信しているメモリと、前記プロセッサと通信しているディスプレイと、前記プロセッサと通信しているスピーカと
を備えるインテリジェントアラームであって、
前記プロセッサがユーザインターフェースを提供するように構成され、前記ユーザインターフェースが、
目覚まし時間を設定するための選択可能入力と、
穏やかな目覚まし設定を設定するための選択可能入力と、
アラーム時間設定を設定するための選択可能入力と、
起きなければならない時間を設定するための選択可能入力と
を提示する、インテリジェントアラーム。
【請求項１６】
穏やかな目覚まし設定を設定するための前記選択可能入力が、
段階的音機能を選択するための選択可能ボタンと、
段階的音機能の一部として再生されるべき音を選択するための選択可能な音指標と
を備える、請求項15に記載のインテリジェントアラーム。
【請求項１７】
穏やかな目覚まし設定を設定するための前記入力が、段階的光機能を選択するための選択可能ボタンをさらに備える、請求項16に記載のインテリジェントアラーム。
【請求項１８】
前記選択可能な音指標が、
前記選択可能な音指標に関連する前記音をプレビューするための選択可能プレビューボタンと、
前記選択可能な音指標に関連する前記音に関する1つまたは複数の画像と、
サウンドスケープ内に含めるための前記音指標を選択するための選択可能エッジと、
前記選択可能な音指標が選択されたことを示すための活性化ステータスアイコンと
をさらに備える、請求項16に記載のインテリジェントアラーム。
【請求項１９】
アラーム時間設定を設定するための前記選択可能な入力が、
目覚ましチャイムまたは目覚ましサウンドスケープのうちの少なくとも1つを含むアラームとして使用されるべき音のタイプを選択するためのボタンと、
目覚ましサウンドスケープの一部として再生されるべき音を選択するための選択可能な音指標と
を備える、請求項16に記載のインテリジェントアラーム。
【請求項２０】
前記選択可能な音指標が、
前記選択可能な音指標に関連する前記音をプレビューするための選択可能プレビューボタンと、
前記選択可能な音指標に関連する前記音に関する1つまたは複数の画像と、
サウンドスケープ内に含めるための前記音指標を選択するための選択可能エッジと、
前記選択可能な音指標が選択されたことを示すための活性化ステータスアイコンと
をさらに備える、請求項19に記載のインテリジェントアラーム。
【請求項２１】
起きなければならない時間を設定するための前記選択可能入力が、
起きなければならない時間機能を活性化し、それによって、起きなければならない時間に達するとスヌーズ機能が不活性化されるための選択可能ボタンと、
前記起床時間が過ぎた後の経過時間量に基づいて、起きなければならない時間を設定するためのスライダと
を備える、請求項15に記載のインテリジェントアラーム。
【発明の詳細な説明】
【技術分野】
【０００１】
関連出願の相互参照
本出願は、Sleep Quality Scoring and Improvementと題する米国特許出願第15/267,464号(代理人整理番号B2108-701419)、Intelligent Wake-Up Systemと題する米国特許出願第15/267,552号(代理人整理番号B2108-701519)、Sleep Assistance Deviceと題する米国特許出願第15/267,567号(代理人整理番号B2108-701619)、Sleep Systemと題する米国特許出願第15/267,848号(代理人整理番号B2108-701719)、およびSleep Assessment Using a Home Sleep Systemと題する米国特許出願第15/267,886号(代理人整理番号B2108-701919)に関し、それらのすべては、2016年9月16日に出願されており、参照により本明細書に組み込まれる。
【０００２】
本開示は、ユーザが睡眠システムからの情報を制御し受信するための視覚的ユーザインターフェースに関する。
【背景技術】
【０００３】
不眠、睡眠不足、または中断される睡眠は、人の健康に重大な影響を及ぼす可能性がある。睡眠不足は、周囲の騒音、ストレス、医学的状態、または不快感のような要因によって引き起こされる場合がある。睡眠システムは、ユーザから受信した設定に基づいてユーザが寝入るのを助けることができる。したがって、新規の視覚的ユーザインターフェースを使用して睡眠システムからの情報を制御し受信するための簡単な方法をユーザに提供することができるデバイスに対する必要性が存在する。
【発明の概要】
【課題を解決するための手段】
【０００４】
一例では、心拍数、呼吸数、ユーザの存在、またはユーザの動きのうちの少なくとも1つを感知するための生体測定センサであって、出力データを提供する、生体測定センサと、プロセッサと、プロセッサと通信しているメモリと、プロセッサと通信しているディスプレイと、ユーザインターフェースとを含むユーザ制御可能な睡眠システムが提供される。ユーザインターフェースは、1つまたは複数の関連する音を含む選択されたサウンドスケープに関するランドスケープグラフィックスを提供する。ユーザインターフェースはまた、生体測定センサからの健康状態を示す健康指標と、プロセッサによって受信された環境情報を示す環境指標とを有する。ユーザ制御可能な睡眠システムのいくつかの例では、健康指標は、ユーザの呼吸数または心拍数のうちの少なくとも1つを表す。他の例では、ユーザインターフェースは、生体測定センサから受信した情報の指標を提供するために健康指標を動画化するように構成される。いくつかの実装形態では、ユーザインターフェースは、ユーザの心拍数または呼吸のうちの少なくとも1つの指示を提供するために健康指標を動画化するように構成される。他の実装形態では、ランドスケープグラフィックスは、ユーザによって選択されたサウンドスケープに関連する場所のタイプを描写する。健康指標は、ユーザによって選択されたサウンドスケープに関連する場所にも関連してもよい。
【０００５】
ユーザ制御可能な睡眠システムの他の例では、環境指標は、天候状況、汚染状況、花粉状況、または交通状況のうちの少なくとも1つを示す。プロセッサはまた、ネットワークアクセス可能なデータベースを介して、天候状況、汚染状況、花粉状況、または交通状況のうちの少なくとも1つを取り出すように構成されてもよい。
【０００６】
心拍数、呼吸数、ユーザの存在、またはユーザの動きのうちの少なくとも1つを感知するための少なくとも1つの生体測定センサであって、少なくとも1つの生体測定センサの各々が出力データを提供する、少なくとも1つの生体測定センサと、プロセッサと、プロセッサと通信しているメモリと、プロセッサと通信しているディスプレイと、前記プロセッサと通信しているスピーカとを含む睡眠補助デバイスも提供されてもよい。プロセッサは、ユーザインターフェースを提供するように構成されてもよく、ユーザインターフェースは、複数の関連する音を含む再生可能なサウンドスケープに関する選択可能な音指標を提示し、音指標は、前記サウンドスケープの一部として再生可能な個々の音を制御する。プロセッサはまた、少なくとも1つの音指標の選択を受信し、少なくとも1つの音指標の前記選択に基づいてサウンドスケープを配置および再生するように構成されてもよい。
【０００７】
睡眠補助デバイスのいくつかの例では、ユーザインターフェースは、プロセッサがリラクゼーションプログラムを自動的に実行すべきであることを示すための選択可能ボタンと、前記リラクゼーションプログラムを実行するためのトリガイベントを選択するための少なくとも1つの選択可能ボタンとをさらに含む。トリガイベントを選択するための少なくとも1つの選択可能ボタンは、トリガイベントとして光レベルの変化を選択するためのボタン、またはトリガイベントとしてベッドにおけるユーザの存在を選択するためのボタンのうちの少なくとも1つを含む。ユーザインターフェースはまた、リラクゼーションプログラムを実行する前に、トリガイベントの後の遅延を要求するための選択可能ボタンと、前記遅延の持続時間を示すためのスライダとをさらに含んでもよい。他の例では、ユーザインターフェースはまた、リラクゼーションプログラムに関する少なくとも1つの選択可能な音指標と、音マスキングプログラムに関する少なくとも1つの選択可能な音指標とを含んでもよい。
【０００８】
いくつかの例では、選択可能な音指標は、選択可能な音指標に関連する音をプレビューするための選択可能プレビューボタンと、選択可能な音指標に関連する音に関する1つまたは複数の画像と、サウンドスケープ内に含めるための音指標を選択するための選択可能エッジと、選択可能な音指標がサウンドスケープ内に含めるために選択されたことを示すための活性化ステータスアイコンとを含む。
【０００９】
心拍数、呼吸数、ユーザの存在、またはユーザの動きのうちの少なくとも1つを感知するための少なくとも1つの生体測定センサであって、少なくとも1つの生体測定センサの各々が出力データを提供する、少なくとも1つの生体測定センサと、プロセッサと、プロセッサと通信しているメモリと、プロセッサと通信しているディスプレイと、プロセッサと通信しているスピーカとを含むインテリジェントアラームも提供される。プロセッサは、ユーザインターフェースを提供するように構成されてもよく、ユーザインターフェースは、目覚まし時間を設定するための選択可能入力と、穏やかな目覚まし設定を設定するための選択可能入力と、アラーム時間設定を設定するための選択可能入力と、起きなければならない時間を設定するための選択可能入力とを提示する。いくつかの例では、穏やかな目覚まし設定を設定するための選択可能入力は、段階的音機能を選択するための選択可能ボタンと、段階的音機能の一部として再生されるべき音を選択するための選択可能な音指標とを含む。
【００１０】
インテリジェントアラームのいくつかの例では、穏やかな目覚まし設定を設定するための入力は、段階的光機能を選択するための選択可能ボタンをさらに含む。選択可能な音指標はまた、選択可能な音指標に関連する音をプレビューするための選択可能プレビューボタンと、選択可能な音指標に関連する音に関する1つまたは複数の画像と、サウンドスケープ内に含めるための音指標を選択するための選択可能エッジと、選択可能な音指標が選択されたことを示すための活性化ステータスアイコンとを含んでもよい。他の例では、アラーム時間設定を入力するための選択可能な入力は、目覚ましチャイムまたは目覚ましサウンドスケープのうちの少なくとも1つを含むアラームとして使用されるべき音のタイプを選択するためのボタンと、目覚ましサウンドスケープの一部として再生されるべき音を選択するための選択可能な音指標とを含む。
【００１１】
インテリジェントアラームの他の例では、選択可能な音指標は、選択可能な音指標に関連する音をプレビューするための選択可能プレビューボタンと、選択可能な音指標に関連する音に関する1つまたは複数の画像と、サウンドスケープ内に含めるための音指標を選択するための選択可能エッジと、選択可能な音指標が選択されたことを示すための活性化ステータスアイコンとを含む。起きなければならない時間を規定するための選択可能入力はまた、起きなければならない時間機能を活性化し、それによって、起きなければならない時間に達するとスヌーズ機能が不活性化されるための選択可能ボタンと、前記起床時間が過ぎた後の経過時間量に基づいて、起きなければならない時間を設定するためのスライダとを含んでもよい。
【００１２】
ユーザが睡眠システムを制御するための視覚的ユーザインターフェースの少なくとも1つの実装形態の様々な態様について、添付図面を参照して以下に論じる。図は、例示および説明の目的のために提供され、本開示の限定の定義として意図されない。
【図面の簡単な説明】
【００１３】
【図１Ａ】本開示の一例における矩形ハウジングを有する睡眠品質スコア付けおよび改善デバイスの正面斜視図である。
【図１Ｂ】本開示の一例における円筒形ハウジングを有する睡眠品質スコア付けおよび改善デバイスの正面斜視図である。
【図１Ｃ】本開示の一例における正方形ハウジングを有する睡眠品質スコア付けおよび改善デバイスの正面斜視図である。
【図２】本開示の一例における睡眠補助デバイスの構成要素の概略図である。
【図３】睡眠補助デバイスのためのホーム画面の一例の図である。
【図４Ａ】本開示の一例における睡眠詳細レポートの図である。
【図４Ｂ】本開示の一例における睡眠一貫性レポートの図である。
【図５】本開示の一例における完全睡眠詳細レポートの図である。
【図６】本開示の一例における音選択メニューの図である。
【図７】本開示の一例におけるアラームメニューの図である。
【図８】本開示の一例における睡眠プログラムを制御するための方法に関する一連のステップを示すフローチャートである。
【図９】本開示の一例における睡眠補助デバイスのユーザインターフェース上の情報を提供するための方法に関する一連のステップを示すフローチャートである。
【図１０】本開示の一例におけるインテリジェントアラームプログラムを制御するための方法に関する一連のステップを示すフローチャートである。
【発明を実施するための形態】
【００１４】
以下の説明は、本開示を例示的な実装形態に限定することを意図されていないことが理解されるべきである。それとは反対に、それは、記載された主題の趣旨および範囲内に含まれ得るように代替形態、修正形態、および等価物をカバーすることが意図されている。
【００１５】
本開示は、睡眠補助デバイスのためのユーザインターフェースと、睡眠システムと、ユーザインターフェースを介して睡眠システムを制御するための方法とを提供する。少なくとも1つの生体測定センサが、ユーザの心拍数、心拍数変動、呼吸数、存在、または動きを感知し、生体測定センサの各々が出力データを提供する。生体測定センサは、プロセッサおよびコンピュータ可読メモリまたは睡眠補助デバイスの他の記憶構成要素と通信している。本開示は、例えば、その開示が参照により本明細書に組み込まれる米国特許出願第15/267,567号(代理人整理番号B2108-701619)において開示されているように、くつろぎ(wind-down)ルーチンまたは音マスキングルーチンを含む、ユーザが音プログラムを制御することを可能にするユーザインターフェースを提供する。本開示は、例えば、その開示が参照によりその全体において本明細書に組み込まれる米国特許出願第15/267,552号(代理人整理番号B2108-701519)において開示されているように、インテリジェント目覚ましシステムのようなインテリジェントアラームを制御するためのユーザインターフェースも提供する。本開示は、例えば、その開示が参照によりその全体において本明細書に組み込まれる米国特許出願第15/267,464号(代理人整理番号B2108-701419)において開示されているように、生体測定センサから受信した観察に基づくユーザの睡眠スコアを含む、ユーザの睡眠の質に関する情報を見るためのユーザインターフェースも提供する。
【００１６】
図1A〜図1Cは、本開示の3つの例における睡眠補助デバイス1の正面斜視図である。図示のように、睡眠補助デバイス1は、ハウジング3と、ディスプレイスクリーン5と、スピーカ7と、睡眠補助デバイスに情報を入力するためのボタン8またはタッチスクリーン9とを含んでもよい。矩形形状(例えば、図1A)、細長い円筒形タワー(例えば、図1B)、または平坦な正方形形状(例えば、図1C)を含む、多種多様な形態が睡眠補助デバイスに利用されてもよい。しかしながら、当業者が認識するように、例えば、ナイトスタンドのような、睡眠中にユーザの近くに置かれるのに適している可能性がある任意の適切なフォームファクタが利用されてもよい。そのような例では、ハウジング3は、プラスチック、金属、木材、または複合材料を含む任意の硬質材料から適切な形状に形成されてもよい。
【００１７】
いくつかの例では、ディスプレイスクリーン5は、ユーザにとって関心がある可能性がある、睡眠補助デバイス1によって収集された生体測定情報または睡眠情報を提供してもよい。そのような情報は、ユーザの存在、心拍数、心拍数変動、呼吸数、周囲温度、動き、いびき、または長期間にわたる睡眠状態に関する情報のような、睡眠期間中に観察されるユーザの生体に関する情報を含んでもよい。これは、直接情報または派生情報であってもよい。いくつかの例では、ディスプレイスクリーン5はまた、図1A〜図1Cに示すように時計を含んでもよい。
【００１８】
スピーカ7は、当業者にはよく知られ得るように、音を発生するための任意の適切なスピーカシステムを備えてもよい。いくつかの例では、スピーカ7は、全方向性音響体験を提供するために、音響偏向器と共に上向き発射ドライバを備えてもよい。そのような構成は、ユーザが眠っている間に、サウンドスケープまたはホワイトノイズのための、無指向性の部屋を満たす音を提供するのに役立つ場合がある。全方向性音システムは、鎮静的な音、自然な目覚め体験、および部屋全体での一貫した聴取体験を達成するのに特に役立つ場合がある。しかしながら、当業者が認識するように、部屋を満たす音を生成するために、スピーカ7のための任意の許容可能な音システムが用いられてもよい。
【００１９】
タッチスクリーン9またはボタン8は、タッチスクリーン9上の仮想ボタンがユーザによって押下されているときなどに、ユーザの指の存在を検出するため、および圧力を検出するための、ハウジング3の表面に結合された触覚センサを含む、睡眠補助デバイス1に入力を送達するための任意の適切な手段を備えてもよい。オペレーティングシステムがユーザからの入力コマンドを受け付けることを可能にするために、当業者によく知られている方法で仮想ボタンがタッチパッド9上に表示されてもよい。このようにして、睡眠補助デバイス1は、タッチパッド9を介してオプションと選択肢とをユーザに提示することができるプログラム可能なユーザインターフェースを提供することによって、様々な方法および様々な文脈で入力コマンドを受け付けるように構成されてもよい。他の例では、タッチスクリーン9は、固定された仮想ボタンの恒久的な表示を提示してもよく、またはユーザから入力を受信するための固定された物理的ボタン8を含んでもよい。
【００２０】
いくつかの例では、睡眠補助デバイス1とリンクするため、睡眠補助デバイス1からの情報を表示するため、入力を受け付けるため、および睡眠補助デバイス1の機能を制御するために睡眠補助デバイス1にそれらの入力を送達するために、ユーザのスマートフォンまたは他の外部コンピューティングデバイスが使用されてもよいので、ディスプレイスクリーン5およびタッチスクリーン9は、必要ではない場合があり、または機能が減らされる場合がある。そのような構成では、ディスプレイスクリーン5およびタッチスクリーン9は、もしあれば、時間、アラーム、および音楽選択のような典型的な枕元の時計関連の機能のみを表示および制御してもよく、または、単なる合計スコア値のような睡眠スコアの単純化された構成要素が表示されてもよい。
【００２１】
図2は、睡眠補助デバイスの例示的な概略図を提供し、その構成要素を示す。図示のように、睡眠補助デバイス1は、プロセッサ15と、メモリ11と、相互接続12とを含む1つまたは複数のメインボード13を含んでもよい。メインボード13は、マイクロフォン10、ディスプレイスクリーン5、オーディオ増幅器6、スピーカ7、および、睡眠補助デバイスに情報を入力するためのボタン8またはタッチスクリーン9のような、いくつかの他の接続された構成要素の動作を制御する。通信ハードウェア17は、WiFi、Bluetooth（登録商標）、USB、マイクロUSB、または当業者に知られている任意の適切な有線もしくはワイヤレスの通信技術のような、睡眠補助デバイスと共に使用するのに適した任意の有線またはワイヤレスの通信手段を含んでもよい。メインボード13は、生体測定センサ19、ならびに、温度、湿度、周囲光、および空気質のような環境状況を検出するための任意の数の環境センサ18からの情報も受信する。メインボード13は、ユーザインターフェース14とのユーザの対話に基づく入力も受信し、入力は、マイクロフォン10によって検出された音声起動コマンド、ボタン8もしくはタッチスクリーン9から受信した様々なオーディオ、アラーム、および睡眠制御入力、またはユーザのスマートフォンもしくは他の外部コンピューティングデバイス上で実行されているコンパニオンアプリケーションから受信した入力を含んでもよい。通信ハードウェア17はまた、天気予報のような外部データ源との通信と、照明、サーモスタット、錠前、およびセンサ18のいずれかのようなものへのアクセスを提供するコネクテッドホームサービスとの通信とを提供してもよい。
【００２２】
マイクロフォン10は、当業者に知られているように、ユーザの寝室または睡眠空間内の音を検出およびサンプリングするための任意の適切なマイクロフォンであってもよい。いくつかの例では、マイクロフォン10は、睡眠補助デバイス1によって生成された音と、ユーザの寝室または睡眠空間内で外部から生成された音とを区別するのに適したアレイ型マイクロフォンであってもよい。マイクロフォン10がアレイ型マイクロフォンを備える例では、それは、睡眠補助デバイス1の周りに分散された、複数の全方向性マイクロフォン、指向性マイクロフォン、またはそれらの任意の混合物を備えてもよい。マイクロフォン10は、以下で論じるように、睡眠補助デバイス1によって生成された音と室内の他の音とを区別し、音マスキングサブルーチン27と共に使用するための任意の外部ノイズを分析するために、当業者によく知られている方法で各々の個々のマイクロフォンからの信号を同時に処理するためのプロセッサ15に結合されてもよい。マイクロフォン10は、例えば、分析されるべき音に向かう特定の方向における指向性を達成するために、ビームフォーミングまたは他の技法を用いてもよい。マイクロフォン10は、ユーザの睡眠を監視するためと、発せられたユーザインターフェースコマンドを受信するための両方のために用いられてもよい。
【００２３】
生体測定センサ19は、数ある生体指標の中でも、ベッドの存在、呼吸数、心拍数、心拍数変動、または睡眠状態を含む、近くのユーザに関する情報を遠隔で検出する。いくつかの例では、生体測定センサ19は、経時的なユーザの様々な生命徴候の状態を決定するためにRF信号をユーザの方に向け、後方散乱信号の強度を測定し、後方散乱信号を分析するためのRFセンサを使用してもよい非接触生体測定センサであってもよい。他の非接触生体測定技法は、ユーザの心拍数、心拍数変動、および血圧によって引き起こされるわずかな皮膚のたわみを測定するためのレーザ、または、心拍および血圧によって引き起こされる皮膚のたわみがカメラを通して経時的に観察および分析され得る画像ベースの監視システムを含んでもよい。生体測定センサ19は、検出された生体測定情報をメモリ11内に記憶するためにプロセッサ15に報告し、本明細書で説明する様々なサブルーチンを使用して分析されるように構成されてもよい。
【００２４】
他の例では、睡眠補助デバイス1はまた、当業者に知られているように直接生体測定センサを用いてもよい。直接生体測定センサは、数ある中で、動き、呼吸、心拍数、血圧、温度のような生体測定情報を機械的に検出するために、ユーザの身体の上もしくは下、またはユーザのマットレスもしくはシーツの中に配置され得るプローブまたは接触パッドを含んでもよい。そのようなセンサは、加速度計、他の運動センサ、または圧電センサもしくは他の振動センサのような機械的センサを含んでもよい。プローブによって検出された生体測定情報は、次いで、当業者に知られている方法で有線またはワイヤレス接続を使用して睡眠補助デバイス1に通信されてもよい。いくつかの例では、生体測定センサは、ユーザによって装着されるイヤホン内に配置されてもよい。他の実装形態は、非接触生体測定センサと直接生体測定センサの両方を組み合わせてもよい。寝具のような介在媒体を介して身体を測定する機械的センサは、「非接触」生体測定センサの範疇に含まれる。
【００２５】
ここで図3を参照すると、本開示のユーザインターフェースのホーム画面の一例が示されている。いくつかの例では、ユーザインターフェースは、睡眠補助デバイスのユーザインターフェース画面5上に見えてもよい。他の例では、ユーザインターフェースは、睡眠補助デバイス1と通信するためおよび/またはそれを制御するためのアプリケーションを使用して、携帯電話、タブレットコンピュータ、コンピュータ、または別の電子デバイスのような外部デバイスの画面上に見えてもよい。
【００２６】
ユーザインターフェースは、睡眠補助デバイス1に関する情報、または、例えば、環境状況もしくは時刻に関する追加情報を提供する単一のホーム画面100を含んでもよい。ユーザインターフェースは、ユーザが複数のユーザメニューを介してユーザの好みに基づいて睡眠補助デバイス1を制御するためのオプションまたは選択を提供してもよい。複数のユーザメニューが存在する場合、ホーム画面100は、ユーザが表示されたホーム画面を別の利用可能なメニューに切り替えることを選択することができるナビゲーションアイコンをさらに含んでもよい。
【００２７】
ホーム画面100は、生体測定センサ19からの出力データにリアルタイムで対応する健康指標101を含んでもよい。健康指標101は、任意の他の利用可能な生体測定情報の中でも、ユーザの心拍またはユーザの呼吸数を表すことができる。健康指標は、健康の任意の適切な視覚的表現を通して提供されてもよく、関連する生体測定情報に直感的には関連しない画像を含んでもよい。例えば、図3では、健康指標101がフクロウの形態で示されている。いくつかの例では、フクロウの胸部は、ユーザによって容易に観察され得るユーザの呼吸の容易に明らかな描写を提供するために、ユーザの検出された呼吸数と一致する速度で伸縮するように動画化されてもよい。他の例では、健康指標101は、同様の方法で生体測定センサによって測定されるようにユーザの心拍と一致する速度で「拍動する」または輝く心臓または他の動画化された指標を示すことができる。
【００２８】
いくつかの例では、ホーム画面100は、現在の天候状況および予測される天候イベントに対応する天候指標103を示す。そのような情報は、当業者に知られており、例えば、(上記で参照により組み込まれている)米国特許出願第15/267,552(代理人整理番号B2108-701519)で開示されているような方法で、公的に利用可能なデータベースから睡眠補助デバイス1によって収集されてもよい。
【００２９】
他の例では、ホーム画面100はまた、ユーザによって選択されたサウンドスケープを反映するランドスケープグラフィックス105を含んでもよい。例えば、リラクゼーション音は、森、ビーチ、街の通り、または雨のような場所に対応する音の集合を表すサウンドスケープの一部であってもよい。図3に示すように、ランドスケープ105は、ユーザによって選択されている森のシーンのサウンドスケープとの視覚的一貫性のために、森のシーンであってもよい。別の例では、ビーチのサウンドスケープが選択されると、ランドスケープグラフィックス105は、ビーチのシーンに変化してもよく、健康指標101も同様に、カモメまたは他のビーチ関連のキャラクタに切り替えられてもよい。このようにして、メニュー100は、ユーザによって選択された任意のリラクゼーション音およびノイズマスキング音の文脈と一致することができる健康指標101およびランドスケープグラフィックス105を提供する。
【００３０】
図4Aは、本開示の一例において提供され得る睡眠詳細レポートの一例を示す。いくつかの例では、睡眠補助システムは、例えば、(上記で参照により組み込まれている)米国特許出願第15/267,464号(代理人整理番号B2108-701419)において開示されているように、生体測定センサ19から受信した観測結果および他の入力に基づいてユーザに睡眠スコアを提供してもよい。例えば、睡眠セッションが終了すると、システムは、外部コンピューティングデバイスまたは他のユーザインターフェース画面5上で見られ得る睡眠詳細レポート200を生成してもよい。図示のように、睡眠詳細レポートは、生体測定センサ19によって観察されシステムによって記録されるように、その日のユーザの睡眠の全体的な質を描写するグラフィカル睡眠スコア201を提供してもよい。いくつかの例では、グラフィカル睡眠スコア201は、すべて全体的な睡眠スコアに寄与し得る睡眠の持続時間、睡眠の質、および睡眠の一貫性のような睡眠基準を表す色分けされたバーまたはリングを有してもよい。この例では、使用される実際の色は、示されておらず、色は、バーまたはリングを視覚的に区別するのを助けるためにのみ使用され、それらの相対位置と重複する。全体的な睡眠スコアの数値表現も、任意の色分けされたバーと共にまたはそれなしで提供されてもよい。利用可能な場合、前の睡眠セッション中に観察された浅い眠り、REM睡眠、または深い睡眠の量のような睡眠統計203も表示されてもよい。
【００３１】
睡眠詳細レポート200はまた、一晩中のユーザの睡眠の深さの別のグラフィカル描写を提供し得る睡眠図205を含んでもよい。いくつかの例では、睡眠図205は、x軸に沿って不在、覚醒、浅い睡眠、REM睡眠、または深い睡眠の期間を表す時間グラフによって提示されてもよい。y軸に沿った異なる高さは、その時間フレーム中の睡眠の相対的な深さに対応してもよい。睡眠の異なる深さ(または不在)に対応するバーはまた、異なる色であってもよく、2つの異なる方法で同じ情報を示す。他の例では、色およびバーの高さのうちの一方もしくは他方のみが使用されてもよく、または、それら2つが異なる情報を伝達してもよい。睡眠詳細レポート200はまた、睡眠時間フレーム207または睡眠持続時間209のような睡眠セッションに関する基本情報を含んでもよい。利用可能な場合、他の利用可能な日の睡眠詳細レポートを見るためにボタン211が使用されてもよい。他の例では、ユーザは、他の統計の中でも、平均睡眠スコア、持続時間、または質のような、その範囲内の関連する睡眠統計を見るために、複数の睡眠セッションを包含する日付範囲を選択してもよい。例えば、ボタン217は、ユーザが一日についての睡眠詳細を見ることを可能にしてもよいのに対して、ボタン215は、ユーザが複数日にわたる比較睡眠データを見ることを可能にしてもよい。データは、睡眠システム自体から利用可能であってもよく、ユーザインターフェースを実装するデバイス内に記憶されてもよく、またはネットワークリソースからオンデマンドで取り出されてもよい。
【００３２】
図4Bは、前に論じたように図4A中のボタン215を選択することによってアクセスされ得る、複数日にわたるレポートの一例であり得る本開示の一例における睡眠一貫性レポート219の一例を示す。この例では、睡眠一貫性レポート219は、複数日にわたるユーザの観察された睡眠パターンのグラフィカル表現を提供する。例えば、各睡眠セッションは、別々の日に対応する行において複数の日について描かれている。睡眠セッションは、ユーザがベッド内に居ると検出された時間に対応するベッド内セグメント221と、ユーザが眠っていると検出された時間に対応する睡眠セグメント223と、ユーザが睡眠から覚醒していると検出された時間に対応する覚醒セグメント225とを含む複数のセグメントを有する線として描かれている。いくつかの例では、これらの線セグメントは、各睡眠セグメントの持続時間を表す色分けされた線であってもよい。この例では、使用される実際の色は、示されておらず、色は、睡眠セグメントを視覚的に区別するのを助けるためにのみ使用され、それらの相対位置と重複する。
【００３３】
一貫性レポート内の任意の所与の睡眠イベントまたは睡眠セグメントについての時間フレームを描写するために、水平時間バー227も睡眠一貫性レポート219内に含まれてもよい。ユーザが複数日にわたる自分の睡眠一貫性を迅速に評価するのを助けるために、睡眠セグメントを横切り、複数の夜の同じ時間におけるユーザの検出された睡眠状態の視覚的な比較を可能にする垂直時間線229も描写されてもよい。いくつかの実装形態では、時間線は、時間バー227の中央に固定されてもよく、時間線229は、時間バー227を所望の位置までドラッグするか、または時間バー内の特定の時間に触れることによって移動されてもよい。
【００３４】
いくつかの例では、ユーザは、睡眠詳細レポート200内のボタンまたはリンクを選択することによって、図5に示すように、完全詳細レポート213を活性化してもよい。いくつかの例では、グラフィカル睡眠スコア201はまた、完全詳細レポート213にアクセスするための仮想ボタンとして機能してもよい。図5に示すように、完全詳細レポート213は、選択された睡眠セッションについてのユーザの睡眠スコアをサポートするデータおよび方法論に関するさらなる詳細をユーザに提示してもよい。睡眠スコアは、いくつかの例では、持続時間と、質と、一貫性とを含む3つの基本的な睡眠基準に基づいてもよい。睡眠持続時間は、ユーザの睡眠セッションの検出された持続時間の反映であってもよく、満点は、8時間または9時間以上であってもよい医学的に推奨される睡眠量の上限のために予約される。いくつかの例では、満点は、ユーザの合計睡眠スコアに対して40「点」を割り当てられてもよい。睡眠の質は、待ち時間(例えば、ユーザが眠りに落ちる速度)、観察された覚醒イベントの数、観察されたREM睡眠の量、観察された深い睡眠の量、または、スヌーズのような睡眠補助デバイス1との任意の観察された機械的相互作用のようないくつかの副要因に基づいて計算されてもよい。これらの要因は、これらのまたは任意の他の関連する睡眠の質の基準をスコア付けおよび重み付けするための任意の適切な方法論を使用して全体的な睡眠スコアに寄与してもよい。いくつかの例では、完璧な質の睡眠は、ユーザの合計睡眠スコアに対して30「点」を割り当てられてもよい。睡眠の一貫性はまた、メモリ11内に記憶されたまたはオンラインリソースからシステムに利用可能な情報に基づいて、ユーザの睡眠時間と覚醒時間との間の全体的な類似性、または、夜ごとに比較され得る任意の他の睡眠要因に基づいてスコア付けされてもよい。いくつかの例では、理想的に一貫した睡眠パターンは、所与のセッションについてのユーザの全体的な睡眠スコアに対して30「点」をもたらしてもよい。本開示は、持続時間、質、および一貫性の基準に基づく睡眠スコア付けを開示しているが、全体的な睡眠スコアを決定するために、当業者に知られている睡眠基準の任意の組み合わせが評価されてもよい。睡眠スコアが計算されるそのような例では、ユーザインターフェースは、ユーザの睡眠スコアをリアルタイムで示す指標をさらに含んでもよい。
【００３５】
図6は、睡眠セッションを通して睡眠補助デバイスを設定するための本開示の例において提示され得る音選択メニュー300を示す。いくつかの例では、睡眠補助デバイス1は、(上記で参照により組み込まれている)米国特許出願第15/267,567号(代理人整理番号B2108-701619)において開示されているように、リラクゼーション期間と睡眠中または音マスキング期間とを含む睡眠セッションを通してリラクゼーション音を提供するように構成されてもよい。くつろぎルーチンを自動的に開始するかまたはユーザによる手動開始に基づいて開始するかを選択するためのボタン301を含む、グラフィカルユーザインターフェースを使用して様々なオプションが設定されてもよい。自動開始が選択された場合、いつくつろぎルーチンが開始され得るかを確立するために追加のオプションが設定されてもよい。例えば、トリガイベントを選択するためにボタン303が利用されてもよい。音選択メニュー300内に任意の適切なトリガイベントが規定されてもよい。例えば、照明がオフにされたことを感知すると、ボタン303Aがくつろぎルーチンを開始するようにシステムに指示する。生体測定センサ19によってベッド内にユーザの存在が検出されるとすぐに、ボタン303Bがくつろぎルーチンを開始するようにシステムに指示してもよい。しかしながら、当業者が認識するように、任意の数の検出可能なトリガイベントがシステム内で規定されてもよく、ボタン303を介して選択されてもよい。
【００３６】
くつろぎルーチンの開始における遅延を設定するために、ボタン305およびスライダ307が使用されてもよい。例えば、ユーザは、トリガイベントが検出された後に予め設定された遅延に基づいてくつろぎルーチンを開始することを望む場合がある。そのような遅延は、例えば、くつろぎルーチンに入る前に、ユーザがベッド内で読書することを望む場合に有用である場合がある。それらの場合には、ユーザが遅延されたくつろぎルーチンを選択することを可能にするために、ボタン305が設けられてもよい。次いで、遅延の量を設定するために、スライダ307が利用されてもよい。図6では、例えば、遅延は、トリガイベントを検出した後25分に設定されている。
【００３７】
図6にも示すように、音選択メニュー300は、くつろぎルーチン中に再生される音を選択するための複数の音アイコン309A〜Cも含んでもよい。音アイコン309A〜Cは、アイコン内に特定の音の視覚的表現を含めることによって音の性質に関する視覚的指示を提供してもよい。例えば、ユーザが森のサウンドスケープのための音を評価しているとき、アイコン309A〜Cは、例えば、アイコンがフクロウまたはキツツキの音要素に関連することを示すために、フクロウまたはキツツキの画像を含んでもよい。このようにして、音アイコン309は、音アイコン自体の中に描かれている画像に基づいて関連する音要素の直感的な指示を提供してもよい。いくつかの例では、音アイコンは、例えば、図6に示すように用いられ得るプレビューボタン311A〜Cをさらに含んでもよい。いくつかの例では、プレビューボタンは、関連する音のサンプルを再生するためにボタンが押下され得ることを示す三角形アイコンを含んでもよい。プレビューボタン311A〜Cは、音がサウンドスケープ内に含まれるべきか、除外されるべきか、または調整されるべきかを決定するために、ユーザに対して音をプレビューするための選択可能な仮想ボタンを提供してもよい。
【００３８】
音アイコン309A〜Cは、活性化ステータスアイコン315も含んでもよい。活性化ステータスアイコン315は、ユーザがサウンドスケープからの特定の音を含めるかまたは除外することを可能にするための別の選択可能ボタンを提供する。いくつかの例では、ユーザが音アイコン309Aのエッジ313Aをクリックすると、活性化ステータスアイコン315Aが現れ、ユーザがその音を現在再生されるように選択したことを示す。ユーザが音アイコン309Aのエッジ313Aを再度クリックすると、活性化アイコン315Aは消え、ユーザがその音要素を現在再生されるように、またはリラクゼーションルーチン中にサウンドスケープ内に含まれるように選択していないことを示す。任意の数の音アイコン309がユーザに利用可能にされてもよい。いくつかの例では、ユーザは、例えば、図6に示すように、追加の音アイコン309を見るために左または右にスワイプすることができてもよい。
【００３９】
音選択メニュー300は、ユーザが眠りに落ちると再生されるべき音マスキングルーチン中の音またはサウンドスケープを選択するための複数の音アイコンも含んでもよい。図6に示すように、ユーザは、上記で説明した音アイコン309A〜Cと同じように機能する音アイコン317A〜Cを使用して、音マスキングルーチンに含めるための音要素を選択してもよい。音アイコン309A〜Cと同様に、音アイコン317A〜Cはまた、関連する音要素の視覚的インジケータと、プレビューボタン319A〜Cと、音アイコンのエッジ323A〜C上に位置する活性化ステータスアイコン321とを含んでもよい。くつろぎルーチンをすぐに手動で開始するために仮想ボタン325も設けられてもよい。
【００４０】
図7は、(上記で参照により組み込まれている)米国特許出願第15/267,552号(代理人整理番号B2108-701519)において開示されているインテリジェント目覚ましシステムのようなインテリジェント目覚ましシステムを設定するためのアラームメニュー400を示す。音選択メニュー400は、穏やかな目覚ましモードにおいて、アラーム時間おいて、または起きなければならない時間においてインテリジェント目覚ましシステムを制御するための一連の仮想ボタンおよび音アイコンを含んでもよい。例えば、仮想ボタン401は、最初の目覚まし時間を設定するために使用されてもよい。ボタン401Aは、図示のように、目覚まし時間を増加または減少することによって時間を設定するために使用されてもよい。ボタン401Bは、所望の分設定を増加または減少することによって分設定を設定するために使用されてもよい。ボタン401Cは、AMまたはPM設定のいずれかを選択するために使用されてもよい。
【００４１】
ユーザはまた、アラームメニュー400を使用して穏やかな目覚まし設定を設定してもよい。例えば、仮想ボタン403は、穏やかな目覚ましルーチン中に寝室内の光レベルを段階的に増加させ始めるように睡眠補助デバイスを設定するために選択されてもよい。仮想ボタン405は、ユーザによって選択された目覚まし音またはサウンドスケープのボリュームを段階的に増加し始め、ユーザの事前定義された目覚まし時間において最終的な目覚まし音量に達するように睡眠補助デバイスを設定するために選択されてもよい。
【００４２】
穏やかな目覚ましルーチンが有効にされている場合、ユーザは、上記で説明した音アイコン309A〜Cと同じように機能する音アイコン407A〜Cを使用して、穏やかな目覚ましルーチン内にどの音要素を含めるかをさらに選択してもよい。音アイコン309A〜Cと同様に、音アイコン407A〜Cはまた、関連する音要素の視覚的インジケータと、プレビューボタン409A〜Cと、音アイコンのエッジ411A〜C上に位置する活性化ステータスアイコン(図7には図示せず)とを含んでもよい。音アイコン309および317と同様に、追加の音アイコン407は、メニュー400内の利用可能な音要素のすべてを循環させるために左または右にスワイプすることによって視界に入れられてもよい。
【００４３】
ユーザはまた、アラームメニュー400においてユーザ定義されたアラーム時間に対して別々のアラーム設定を設定してもよい。例えば、ユーザは、仮想ボタン413を選択または選択解除することによって別々のアラーム設定を活性化または不活性化してもよい。仮想ボタン413が選択されると、アラームプログラムは、アラームメニュー400において規定されたアラーム時間設定に基づいてアラームを再生することになる。仮想ボタン413が設定されていない場合、アラームプログラムは、予め設定された目覚まし時間に達すると、穏やかな目覚ましルーチンのために選択された音を再生し続けることになる。仮想ボタン413が選択された場合、ボタン415は、例えば、ユーザが照明機能を単独で使用して目覚めることを望むときに使用され得る「無音」オプション(仮想ボタン415Aを使用する)、「チャイム」オプション(仮想ボタン415Bを使用する)、または「音」オプション(仮想ボタン415Cを使用する)を含む、アラームにおいてどのタイプのアラーム音を使用するかをユーザが選択することを可能にしてもよい。
【００４４】
「音」オプションが選択された場合、ユーザは、上記で説明した音アイコン309A〜Cと同じように機能する音アイコン417A〜Cを使用して、アラーム内にどの音要素を含めるかをさらに選択してもよい。音アイコン309A〜Cと同様に、音アイコン417A〜Cはまた、関連する音要素の視覚的インジケータと、プレビューボタン419A〜Cと、音アイコンのエッジ421A〜C上に位置する活性化ステータスアイコン(図7には図示せず)とを含んでもよい。音アイコン309、317、および407と同様に、追加の音アイコン417は、利用可能な音要素のすべてを循環させるために左または右にスワイプすることによって視界に入れられてもよい。
【００４５】
最終目覚まし時間もアラームメニュー400において設定されてもよい。例えば、ユーザは、仮想ボタン423を選択または選択解除することによって最終目覚まし時間機能を活性化または不活性化してもよい。一旦選択されると、スヌーズオプションは、指定された最終目覚まし時間において利用不可能になってもよく、目覚まし音は、ユーザが実際にベッドを空けたことを生体測定センサ19が検出するまで消音されないことになる。スライダ425は、ユーザが最終目覚まし時間を指定することを可能にしてもよい。図7に示すように、いくつかの例では、最終目覚まし時間は、ユーザによって以前に設定された目覚まし時間を参照して設定されてもよい。例えば、スライダ425は、ユーザが通常に起きることを可能にするために最初の目覚まし時間の後の時間量を示してもよい。その時間が経過すると、睡眠補助デバイス1は、上記で説明したように、スヌーズオプションが無効にされ得る最終目覚ましモードに入ってもよい。
【００４６】
図8は、本開示の一実装形態における睡眠プログラムを制御するための方法に関する一連のステップを示す。ステップ1において、睡眠補助デバイス1は、プロセッサ15、メモリ11、およびユーザタッチスクリーン9と共に初期化する(図8中のボックス801)。ステップ2において、システムは、外部コンピューティングデバイス上またはタッチスクリーン9上でユーザに提示され得る音選択メニュー300を表示してもよい(ボックス802)。音メニュー300は、音プログラムをカスタマイズするための選択可能な仮想ボタンを有するユーザインターフェースを含んでもよい。ステップ3において、ユーザインターフェースは、音選択メニュー300を介して、ユーザがリラクゼーションモードにおいて音プログラムを自動的に開始したいかどうか、またはリラクゼーションモードがボタン301を介して手動でのみ開始されるべきかどうかに関する命令を受信する(ボックス803)。ボタン301が選択された場合、システムは、ステップ3Aにおいてリラクゼーションモードのためのトリガイベントに関するユーザからの入力を受信してもよい(ボックス803A)。ボタン303Aが選択されたとき、ユーザがユーザの照明を消すとリラクゼーションモードが開始されてもよい。ボタン303Bが選択されたとき、例えば、ユーザがベッドに入るとリラクゼーションモードが開始されてもよい。ステップ3Bにおいて、ユーザインターフェースは、リラクゼーションモードを開始するための遅延を設定するためにユーザからの入力を受信する(ボックス303B)。例えば、トリガイベントが検出された後の遅延は、遅延を所望の遅延に設定するための選択可能ボタン305およびスライダ307を使用して設定されてもよい。
【００４７】
ステップ4において、ユーザインターフェースは、ユーザがどの音をリラクゼーションモード内で使用したいかに関する入力を受信する(ボックス804)。例えば、睡眠プログラムは、リラクゼーションモードではリラクゼーション音を再生し、音マスキングモードでは音マスキングノイズを再生してもよい。いくつかの例では、リラクゼーション音は、例えば、森のサウンドスケープ、街の通りのサウンドスケープ、または海のサウンドスケープのような現実的なサウンドスケープを提供するために再生する複数の関連する音要素を含むサウンドスケープの形態をとってもよい。ステップ4において、ユーザインターフェースは、音アイコン309A〜Cを使用して、どの音がリラクゼーション音内に組み込まれるべきかまたは組み込まれるべきでないかに関する入力を受信する。ステップ4Aにおいて、ユーザインターフェースは、それぞれの音アイコンに関連する音または音の一部をプレビューするための音アイコン309A〜C内のプレビューボタン311A〜Cを提供する(ボックス804A)。ステップ4Bにおいて、ユーザインターフェースは、その音を選択または選択解除するために音アイコン309A〜Cの選択可能なエッジ313A〜Cを提供する(ボックス804B)。ステップ4Cにおいて、ユーザインターフェースは、選択された音要素がリラクゼーションサウンドスケープ内に含まれることを示す、音アイコン317A〜Cの1つまたは複数のエッジ313A〜C上に位置する活性化ステータスアイコン315を提供する(ボックス804C)。
【００４８】
ステップ5において、ユーザインターフェースは、音選択メニュー300内の音アイコン317A〜Cを介して、どの音が音マスキングモード内に組み込まれるべきかまたは組み込まれるべきでないかに関する入力を受信する(ボックス805)。ステップ5Aにおいて、ユーザインターフェースは、それぞれの音アイコンに関連する音または音の一部をプレビューするための音アイコン317A〜C内のプレビューボタン319A〜Cを提供する(ボックス805A)。ステップ5Bにおいて、ユーザインターフェースは、所与の音を選択または選択解除するために、アイコン317A〜Cの選択可能なエッジ323A〜Cを提供する(ボックス805B)。ステップ5Cにおいて、ユーザインターフェースは、選択された音要素が音マスキングサウンドスケープ内に含まれることを示す、音アイコン317A〜Cのエッジ323A〜C上に位置する活性化ステータスアイコン321Aを提供する(ボックス805C)。
【００４９】
ステップ6において、プロセッサ15は、音選択メニュー300からユーザの選択を受信し、ユーザの選択が行われたメモリ11内の睡眠プログラムを更新する(ボックス806)。そのような選択は、音プログラムを開始するためのユーザ定義された好み、ならびに、リラクゼーションサウンドスケープまたは音マスキングサウンドスケープ内に含めるためのユーザの音要素選択を含んでもよい。ユーザが音を選択解除した場合、プロセッサ15は、リラクゼーションモードまたは音マスキングモードにおけるサウンドスケープを作成するためにシステムが混合する音のリストから関連する音要素を除去してもよい。
【００５０】
図9は、本開示の一実装形態における睡眠補助デバイス上のホーム画面100を動作するための方法に関する一連のステップを示す。ステップ1において、プロセッサ15、プロセッサと通信しているメモリ11、プロセッサと通信している外部コンピューティングデバイスまたはディスプレイ9、および、心拍数、呼吸数、ユーザの存在、またはユーザの動きのうちの少なくとも1つを感知するための少なくとも1つの生体測定センサ19が初期化される(図9中のボックス901)。ステップ2において、プロセッサ15は、メニュー100において提示するための情報を収集するために、現在の生体測定状況、環境状況、およびシステム状況を読み取るように構成されてもよい(ボックス902)。ステップ2Aにおいて、プロセッサ15は、生体測定センサ19から生体測定情報を連続的または周期的に読み取り、ユーザの現在検出された生体測定状況を読み取りごとにメモリ11内に記録するように構成されてもよい(ボックス902A)。ステップ2Bにおいて、プロセッサ15は、環境情報(例えば、現在および今後の天候情報、汚染情報、花粉情報、および/または交通情報)をセンサ8からまたは公的に利用可能なデータベースから収集し、環境情報をメモリ11内に記憶するように構成されてもよい(ボックス902B)。ステップ2Cにおいて、プロセッサ15は、システムが音プログラムを再生するように現在設定されているかどうか、および、そうであれば、どのタイプのサウンドスケープがユーザによって再生するために選択されたかのような、現在のシステム設定に関する情報を取り出すように構成されてもよい(ボックス902C)。
【００５１】
ステップ3において、プロセッサ15は、現在の生体測定状況、環境状況、およびシステム状況に関する情報をユーザに表示するためのホーム画面100に情報を提供する(ボックス903)。例えば、ステップ3Aにおいて、ホーム画面100は、ホーム画面100の一態様において生体測定センサ19によって検出されたリアルタイムの生体測定情報に対応する健康指標101を提供する(ボックス903A)。ホーム画面100はまた、生体測定センサ19から受信されメモリ11内に記憶された生体測定情報に基づいて健康指標101の外観を動画化してもよい。例えば、健康指標101は、ユーザが呼吸を検出されたときに呼吸するように、またはユーザの検出された心拍数と共に脈動するように見えるように動画化されてもよい。健康指標101は、ユーザが目覚めているときに目覚めているように、またはユーザが睡眠していると検出されているときに眠っているように見えるようにさらに動画化されてもよい。
【００５２】
ステップ3Bにおいて、ホーム画面100は、睡眠補助デバイス1のためのサウンドスケープ設定を反映するランドスケープ105を表示する(ボックス903B)。例えば、ユーザが森をテーマにしたサウンドスケープを再生するように選択している場合、ホーム画面100は、森のランドスケープ105を表示してもよい。海のサウンドスケープがユーザによって選択されている場合、ホーム画面100は、海のランドスケープ105を表示してもよい。現在選択されているサウンドスケープを反映する視覚的インターフェースを維持するために、任意の数のグラフィカルシーンが使用されてもよい。グラフィカルシーンは、まったく抽象的であってもよく、例えば、森を示すために並木の、または海のサウンドスケープを示すために波の単純な輪郭であってもよいことに留意されたい。いくつかの例では、健康指標101はまた、同様に、選択されたサウンドスケープを反映してもよい。例えば、森のサウンドスケープが選択されたときにフクロウが健康指標101として表示されてもよく、一方、海のサウンドスケープがユーザによって選択されたときにカモメが選択されてもよい。
【００５３】
ステップ3Cにおいて、ホーム画面100は、天候指標103、またはプロセッサ15によって受信された他の適用可能な環境要因の指標を表示してもよい(ボックス903C)。例えば、ホーム画面100は、気温、雲量、および降水量を含む、現在のまたは予想される天候を示すのに十分な天候指標を表示してもよい。交通指標が提供されている場合、ホーム画面100は、予め決定された移動ルートに沿った現在の交通状況の指標を表示してもよい。ステップ4において、プロセッサ15は、生体測定情報、システム情報、または環境情報に関する、メモリ11に記録された更新情報を連続的にチェックし、プロセスのステップ2に戻ることによって任意の新しいまたは更新された情報を反映するようにホーム画面100内の表示を更新するように構成されてもよい(ボックス904)。
【００５４】
図10は、本開示の一実装形態におけるインテリジェントアラームプログラムを制御するための方法に関する一連のステップを示す。ステップ1において、睡眠補助デバイス1は、プロセッサ15、メモリ11、ユーザタッチスクリーン9、または外部コンピューティングデバイスと共に初期化する(図10のボックス1001)。ステップ2において、外部コンピューティングデバイスまたはタッチスクリーン9上でユーザに提示され得るアラームメニュー400が活性化されてもよい(ボックス1002)。アラームメニュー400は、インテリジェント目覚ましプログラムをカスタマイズするための選択可能な仮想ボタンを有するユーザインターフェースを含む。
【００５５】
ステップ3において、アラームメニュー400は、ユーザのための目覚まし時間を設定するための入力を受信する。例えば、アラームメニュー400は、目覚まし時間のための時間、分、およびAM/PM設定を設定するためのボタン401A〜Cを備えてもよい(ボックス1003)。ステップ4において、アラームメニュー400は、メニュー内の入力を介して段階的目覚まし設定を受信してもよい(ボックス1004)。例えば、ステップ4Aにおいて、アラームメニュー400は、ボタン403の選択を介して、寝室または睡眠空間内の照明を段階的に上げるためのインテリジェントアラームプログラム内の段階的光機能をユーザが使用したいという指示を受信する(ボックス1004A)。ステップ4Bにおいて、アラームメニュー400は、ユーザを睡眠から段階的に目覚めさせるために、ボタン405の選択を介して、睡眠補助デバイス1によって再生されている音楽またはサウンドスケープの音量を段階的に上げる(または他の方法で音響を調整する)ためのインテリジェントアラームプログラム内の段階的音機能をユーザが使用したいという指示を受信する(ボックス1004B)。ステップ4Cにおいて、段階的音機能が選択された場合、アラームメニュー400は、音アイコン407A〜Cの使用を介して、段階的目覚まし中にどの音が目覚まし音またはサウンドスケープの一部として再生されるべきかに関する情報を受信する(ボックス1004C)。ステップ4Cの一部として、アラームメニュー400は、それぞれの音アイコンに関連する音または音の一部をプレビューするための、音アイコン407A〜C内のプレビューボタン409A〜Cを提供する。アラームメニュー400は、その音を選択または選択解除するために、それぞれの音アイコン407A〜Cの選択可能なエッジ411A〜Cも提供する。アラームメニュー400は、ステップ4Cの一部として、選択された音要素が穏やかな目覚まし機能内に含まれることを示す、音アイコン407A〜Cのエッジ411A〜C上に位置する活性化ステータスアイコンも提供してもよい。
【００５６】
ステップ5において、アラームメニュー400は、アラームメニュー400上に表示された入力を介して、目覚まし時間に達したときに再生されるべき音に関する情報を受信する(ボックス1005)。ステップ5Aにおいて、アラームメニュー400は、仮想ボタン413を介して、目覚まし時間に達すると穏やかな目覚まし音とは異なる音を使用することをユーザが望むという指示を受信する(ボックス1005A)。ボタン413が選択されていない例では、インテリジェントアラームプログラムは、目覚まし時間に達すると、穏やかな目覚ましモードのために以前に規定された音を使用し続けてもよい。ステップ5Bにおいて、ボタン413が選択された場合、アラームメニュー400は、仮想ボタン415A〜Bを介して、目覚まし時間に達するとどのタイプの音を使用することをユーザが望むかについての指示を受信してもよい(ボックス1005B)。例えば、音が望まれない場合、ユーザが、ボタン415Aを選択してもよい。チャイムが望まれる場合、ユーザは、ボタン415Bを選択してもよい。そして、サウンドスケープが望まれる場合、ユーザは、ボタン415Cを選択してもよい。もちろん、当業者にはよく知られている方法で、ステップ5Bにおいて、任意の所望の音タイプのための追加のボタン415が表示されてもよい。
【００５７】
ステップ5Cにおいて、「音」が選択された場合、アラームメニュー400はまた、音アイコン417A〜Cを介して、どの音または音要素がサウンドスケープ内に含まれるべきかに関する指示を受信してもよい(ボックス1005C)。上記で説明したように、音アイコン417A〜Cは、関連する音要素の視覚的インジケータと、プレビューボタン419A〜Cと、音がサウンドスケープ内に含められるために選択されたときに音アイコンのエッジ421A〜C上に配置され得る活性化ステータスアイコンとを含んでもよい。音アイコン309、317、および407と同様に、追加の音アイコン417は、アラームメニュー400内の利用可能な音要素のすべてを循環させるためにタッチスクリーン9上で左または右にスワイプすることによって視界に入れられてもよい。
【００５８】
ステップ6において、アラームメニュー400は、アラームメニュー400上に表示された入力を介して「起きなければならない時間」に関する情報を受信してもよい(ボックス1006)。起きなければならない機能が活性化されると、睡眠プログラムは、起きなければならない時間に達すると、スヌーズ機能を不活性化してもよい。ステップ6Aにおいて、アラームメニュー400は、仮想ボタン423を選択することによって、ユーザが起きなければならない機能を使用したいかどうかに関する指示を受信する。ボタン423が選択されない場合、アラームプログラムは、ユーザがスヌーズ機能を使用することなくアラームを最終的にオフにするまで、目覚まし時間のために規定された設定に従って機能し続けることになる。ステップ6Bにおいて、ボタン423が選択された場合、アラームメニュー400はまた、スライダ425を使用して、起きなければならない機能を開始するために、以前に規定された起きなければならない時間の後にどれだけ長く待つかに関する指示を受信してもよい。例えば、ユーザは、ステップ3において7:30AMとして目覚まし時間を設定し、次いで、例えば、図7において示すように7:45AMの起きなければならない時間を確立するために、ステップ6Bにおいてスライダ425を15分に設定してもよい。
【００５９】
ステップ7において、プロセッサ15は、アラームメニュー400によって受信された入力を受け付け、アラームメニュー400を介してユーザによって規定された設定に従って動作するようにインテリジェントアラームを設定するためにメモリ11内のアラームプログラムのための設定を更新するように構成されてもよい(ボックス1007)。
【００６０】
当業者は、上記で概説したシステム、方法、および装置が、ソフトウェアプログラムを実行するため、ならびに、例えば、生体測定センサ、環境センサ、ユーザインターフェース、コンピュータネットワーク、音システム、および任意の他の内部デバイスまたは外部デバイスを含む任意のデバイスと通信し、それらを動作するための、当業者によく知られている様々なハードウェアおよびオペレーティングソフトウェアを含んでもよいことを認識するであろう。そのようなコンピュータ化されたシステムはまた、メモリおよび記憶媒体と、本開示の動作を実行するために使用され得る他の内部構成要素および外部構成要素とを含んでもよい。さらに、そのようなコンピュータシステムは、コンピュータシステムの動作を処理および制御し、したがって、本開示のプロセスを実施するための1つまたは複数のプロセッサを含んでもよい。その目的のため、プロセッサ、関連するハードウェア、および通信システムは、本明細書に提示された様々な例を実行してもよい。
【００６１】
開示された主題は、本明細書では特定の例示的な実装形態に関して説明されているが、当業者は、開示された主題に対してその範囲から逸脱することなく様々な修正および改良がなされ得ることを認識するであろう。そのように、以下で特許請求され、上記で開示された特定の特徴は、開示された主題が任意の他の可能な置換および組み合わせを有する他の実装形態にも具体的に向けられるように認識されるべきであるように、開示された主題の範囲内で他の方法で互いに組み合わされ得る。開示された主題の趣旨または範囲から逸脱することなく、開示された主題のシステムおよび方法において様々な修正および変形がなされ得ることが当業者には明らかであろう。したがって、開示された主題は、添付の特許請求の範囲およびそれらの均等物の範囲内にある修正形態および変形形態を含むことが意図される。
【符号の説明】
【００６２】
1  睡眠補助デバイス
3  ハウジング
5  ディスプレイスクリーン
6  オーディオ増幅器
7  スピーカ
8  ボタン、物理的ボタン
9  タッチスクリーン、タッチパッド
10  マイクロフォン
11  メモリ
12  相互接続
13  メインボード
14  ユーザインターフェース
15  プロセッサ
17  通信ハードウェア
18  環境センサ、センサ
19  生体測定センサ
100  ホーム画面、メニュー
101  健康指標
103  天候指標
105  ランドスケープグラフィックス、ランドスケープ
200  睡眠詳細レポート
201  グラフィカル睡眠スコア
203  睡眠統計
205  睡眠図
207  睡眠時間フレーム
209  睡眠持続時間
211  ボタン
213  完全詳細レポート
215  ボタン
219  睡眠一貫性レポート
217  ボタン
221  ベッド内セグメント
223  睡眠セグメント
225  覚醒セグメント
227  水平時間バー、時間バー
229  垂直時間線、時間線
300  音選択メニュー、音メニュー
301  ボタン
303  ボタン
303A  ボタン
303B  ボタン
305  ボタン
307  スライダ
309  音アイコン
309A  音アイコン、アイコン
309B  音アイコン、アイコン
309C  音アイコン、アイコン
311A  プレビューボタン
311B  プレビューボタン
311C  プレビューボタン
313A  エッジ
313B  エッジ
313C  エッジ
315  活性化ステータスアイコン
315A  活性化ステータスアイコン、活性化アイコン
317  音アイコン
317A  音アイコン、アイコン
317B  音アイコン、アイコン
317C  音アイコン、アイコン
319A  プレビューボタン
319B  プレビューボタン
319C  プレビューボタン
321  活性化ステータスアイコン
321A  活性化ステータスアイコン
323A  エッジ
323B  エッジ
323C  エッジ
325  仮想ボタン
400  アラームメニュー、音選択メニュー、メニュー
401  仮想ボタン
401A  ボタン
401B  ボタン
401C  ボタン
403  仮想ボタン、ボタン
405  仮想ボタン、ボタン
407  音アイコン
407A  音アイコン
407B  音アイコン
407C  音アイコン
409A  プレビューボタン
409B  プレビューボタン
409C  プレビューボタン
411A  エッジ
411B  エッジ
411C  エッジ
413  仮想ボタン、ボタン
415  ボタン
415A  仮想ボタン、ボタン
415B  仮想ボタン、ボタン
415C  仮想ボタン、ボタン
417  音アイコン
417A  音アイコン
417B  音アイコン
417C  音アイコン
419A  プレビューボタン
419B  プレビューボタン
419C  プレビューボタン
421A  エッジ
421B  エッジ
421C  エッジ
423  仮想ボタン、ボタン
425  スライダ
【図１Ａ】
2019534728.tif 000003
【図１Ｂ】
2019534728.tif 000004
【図１Ｃ】
2019534728.tif 000005
【図２】
2019534728.tif 000006
【図３】
2019534728.tif 000007
【図４Ａ】
2019534728.tif 000008
【図４Ｂ】
2019534728.tif 000009
【図５】
2019534728.tif 000010
【図６】
2019534728.tif 000011
【図７】
2019534728.tif 000012
【図８】
2019534728.tif 000013
【図９】
2019534728.tif 000014
【図１０】
2019534728.tif 000015
【国際調査報告】
2019534728.tif 000016
2019534728.tif 000017
2019534728.tif 000018
2019534728.tif 000019
2019534728.tif 000020